(57)【特許請求の範囲】
【請求項１】
制御部と出力部とを備え、
前記制御部は、
読取処理される原稿が、目印が付されたキャリアシートと共に画像読取装置で読み取られた場合には、前記原稿の画像中の前記目印に基づいて、前記原稿のどの部分を読み取ったかを判断する判断手段、
または、
読取処理される原稿が、識別マークと共に画像読取装置で読み取られた場合には、前記原稿の画像から前記識別マークを検出するマーク検出手段と、前記マーク検出手段で前記識別マークが検出できた場合には、前記原稿の前記画像から、前記原稿のどの部分を読み取ったかを判断する位置検出手段と
を備え、
前記判断手段又は前記位置検出手段に基づき、次に読み取られるべき読取位置を示唆する通知情報を、前記出力部に出力する通知出力手段
をさらに備え、
前記通知出力手段は、次に読み取られるべき読取位置を通知するアイコンを前記出力部に出力すること
を特徴とする画像処理装置。
【請求項２】
前記制御部は、
画像読取装置で読取処理された読取画像を表示する表示領域のうち、いずれかの方向に片寄った一部の領域に、読取処理により読み取られた画像を配置して前記出力部に出力する画像出力手段
を備えたこと
を特徴とする請求項１に記載の画像処理装置。
【請求項３】
前記画像出力手段は、前記読取処理の次の読取処理によって読み取られた画像を、前記表示領域の残りの領域に配置して前記出力部に出力すること
を特徴とする請求項２に記載の画像処理装置。
【請求項４】
前記通知出力手段は、前記読取処理により読み取られた読取位置を示唆する通知情報、または、次に行うべき読取処理を示唆する通知情報を、前記出力部に出力すること
を特徴とする請求項１から３のいずれか１つに記載の画像処理装置。
【請求項５】
前記制御部は、
前記読取処理を終了および／または中止する読取制御手段
をさらに備えたこと
を特徴とする請求項１から４のいずれか１つに記載の画像処理装置。
【請求項６】
画像読取装置で読取処理により読み取られた画像を保存する記憶部をさらに備え、
前記読取制御手段は、前記読取処理の中止および／または終了を指示し、
前記読取制御手段は、前記画像読取装置が原稿の一部を順次読取る場合に、前記中止が指示されると前記読取処理により読み取られた画像を破棄し、前記終了が指示されると前記読取処理により読み取られた画像を前記記憶部に保存すること
を特徴とする請求項５に記載の画像処理装置。
【請求項７】
前記画像出力手段は、前記判断手段で判断した前記配置位置に読取処理により読み取られた画像を配置して前記出力部に出力すること
を特徴とする請求項２から６のいずれか１つに記載の画像処理装置。
【請求項８】
前記画像出力手段は、前記判断手段にて前記目印が検出できなかった場合には、前記表示領域全体に読取処理により読み取られた画像を配置して前記出力部に出力すること
を特徴とする請求項７に記載の画像処理装置。
【請求項９】
前記画像出力手段は、前記位置検出手段で判断した前記表示位置に読取処理により読み取られた画像を配置して前記出力部に出力すること
を特徴とする請求項２から６のいずれか１つに記載の画像処理装置。
【請求項１０】
前記制御部は、
前記位置検出手段で検出した前記表示位置に基づいて、前記原稿の前記画像に対しデスキュー及び／又はクロッピングを実行するデスキュー・クロッピング実行手段と、
前記デスキュー・クロッピング実行手段でデスキュー及び／又はクロッピングを実行した後の前記原稿の前記画像を合成する合成手段と、
をさらに備えたこと
を特徴とする請求項９に記載の画像処理装置。
【請求項１１】
制御部と出力部とを備えた画像処理装置の前記制御部で実行される、
読取処理される原稿が、目印が付されたキャリアシートと共に画像読取装置で読み取られた場合には、前記原稿の画像中の前記目印に基づいて、前記原稿のどの部分を読み取ったかを判断する判断ステップ、
または、
読取処理される原稿が、識別マークと共に画像読取装置で読み取られた場合には、前記原稿の画像から前記識別マークを検出するマーク検出ステップと、前記マーク検出ステップで前記識別マークが検出できた場合には、前記原稿の前記画像から、前記原稿のどの部分を読み取ったかを判断する位置検出ステップと
を含み、
前記判断ステップ又は前記位置検出ステップに基づき、次に読み取られるべき読取位置を示唆する通知情報を、前記出力部に出力する通知出力ステップ
をさらに含み、
前記通知出力ステップは、次に読み取られるべき読取位置を通知するアイコンを前記出力部に出力すること
を特徴とする画像処理方法。
【請求項１２】
制御部と出力部とを備えた画像処理装置の前記制御部に実行させるための、
読取処理される原稿が、目印が付されたキャリアシートと共に画像読取装置で読み取られた場合には、前記原稿の画像中の前記目印に基づいて、前記原稿のどの部分を読み取ったかを判断する判断ステップ、
または、
読取処理される原稿が、識別マークと共に画像読取装置で読み取られた場合には、前記原稿の画像から前記識別マークを検出するマーク検出ステップと、前記マーク検出ステップで前記識別マークが検出できた場合には、前記原稿の前記画像から、前記原稿のどの部分を読み取ったかを判断する位置検出ステップと
を含み、
前記判断ステップ又は前記位置検出ステップに基づき、次に読み取られるべき読取位置を示唆する通知情報を、前記出力部に出力する通知出力ステップ
をさらに含み、
前記通知出力ステップは、次に読み取られるべき読取位置を通知するアイコンを前記出力部に出力すること
を特徴とする画像処理プログラム。
【発明の詳細な説明】
【技術分野】
【０００１】
本発明は、画像読取装置（例えばスキャナ、コピー機、ファクシミリなど）で読み取られた原稿の画像を処理する画像処理装置、画像処理方法及び画像処理プログラムに関する。
【背景技術】
【０００２】
特許文献１には、読取モードの設定処理無しで、読取可能な原稿のサイズよりも大きなサイズの原稿をキャリアシートを使用して正確に読み取り合成画像を得る画像処理装置等に関する技術が開示されている。
【先行技術文献】
【特許文献】
【０００３】
【特許文献１】特開２００５−２６０３８７号公報
【発明の概要】
【発明が解決しようとする課題】
【０００４】
しかしながら、片面読取可能な画像読取装置でＡ３合成を行う場合（具体的には特許文献１に記載の技術を用いてＡ３合成を行う場合）、当該画像読取装置が原稿をどのように読み取りしたかがユーザにとって分かり難い、という問題点があった。
【０００５】
本発明は、上記に鑑みてなされたものであって、画像読取装置が原稿の一部を順次読取る場合に、ユーザにとって読取処理をより分かり易くすることができる画像処理装置、画像処理方法及び画像処理プログラムを提供することを目的とするものである。
【課題を解決するための手段】
【０００６】
上述した課題を解決し、目的を達成するために、本発明に係る画像処理装置は、制御部と出力部とを備え、前記制御部は、画像読取装置で読取処理された読取画像を表示する表示領域のうち、いずれかの方向に片寄った一部の領域に、読取処理により読み取られた画像を配置して前記出力部に出力する画像出力手段を備えたことを特徴とする。
【０００７】
また、本発明に係る画像処理装置は、前記に記載の画像処理装置において、前記画像出力手段は、前記読取処理の次の読取処理によって読み取られた画像を、前記表示領域の残りの領域に配置して前記出力部に出力することを特徴とする。
【０００８】
また、本発明に係る画像処理装置は、前記に記載の画像処理装置において、前記制御部は、前記読取処理により読み取られた読取位置を示唆する通知情報、または、次に行うべき読取処理を示唆する通知情報を、前記出力部に出力する通知出力手段をさらに備えたことを特徴とする。
【０００９】
また、本発明に係る画像処理装置は、前記に記載の画像処理装置において、前記制御部は、前記読取処理を終了および／または中止する読取制御手段をさらに備えたことを特徴とする。
【００１０】
また、本発明に係る画像処理装置は、前記に記載の画像処理装置において、読取処理される原稿は、目印が付されたキャリアシートと共に前記画像読取装置で読み取られ、前記制御部は、前記原稿の前記画像中の前記目印に基づいて、前記原稿の配置位置を判断する判断手段をさらに備え、前記画像出力手段は、前記判断手段で判断した前記配置位置に読取処理により読み取られた画像を配置して前記出力部に出力することを特徴とする。
【００１１】
また、本発明に係る画像処理装置は、前記に記載の画像処理装置において、前記画像出力手段は、前記判断手段にて前記目印が検出できなかった場合には、前記表示領域全体に読取処理により読み取られた画像を配置して前記出力部に出力することを特徴とする。
【００１２】
また、本発明に係る画像処理装置は、前記に記載の画像処理装置において、前記原稿は、識別マークと共に前記画像読取装置で読み取られ、前記制御部は、前記原稿の前記画像から前記識別マークを検出するマーク検出手段と、前記マーク検出手段で前記識別マークが検出できた場合には、前記原稿の前記画像から、当該画像における前記原稿の表示位置を検出する位置検出手段と、をさらに備え、前記画像出力手段は、前記位置検出手段で判断した前記表示位置に読取処理により読み取られた画像を配置して前記出力部に出力することを特徴とする。
【００１３】
また、本発明に係る画像処理装置は、前記に記載の画像処理装置において、前記制御部は、前記位置検出手段で検出した前記表示位置に基づいて、前記原稿の前記画像に対しデスキュー及び／又はクロッピングを実行するデスキュー・クロッピング実行手段と、前記デスキュー・クロッピング実行手段でデスキュー及び／又はクロッピングを実行した後の前記原稿の前記画像を合成する合成手段と、をさらに備えたことを特徴とする。
【００１４】
また、本発明に係る画像処理装置は、制御部と出力部とを備え、前記制御部は、読取処理される原稿が、目印が付されたキャリアシートと共に画像読取装置で読み取られた場合には、前記原稿の画像中の前記目印に基づいて、前記原稿のどの部分を読み取ったかを判断する判断手段、または、読取処理される原稿が、識別マークと共に画像読取装置で読み取られた場合には、前記原稿の画像から前記識別マークを検出するマーク検出手段と、前記マーク検出手段で前記識別マークが検出できた場合には、前記原稿の前記画像から、前記原稿のどの部分を読み取ったかを判断する位置検出手段とを備え、前記判断手段又は前記位置検出手段に基づき、次に読み取られるべき読取位置を示唆する通知情報を、前記出力部に出力する通知出力手段をさらに備えたことを特徴とする。
【００１５】
また、本発明に係る画像処理装置は、制御部と出力部と、画像読取装置で読取処理により読み取られた画像を保存する記憶部とを備え、前記制御部は、前記読取処理の中止および／または終了を指示する読取制御手段を備え、前記読取制御手段は、前記画像読取装置が原稿の一部を順次読取る場合に、前記中止が指示されると前記読取処理により読み取られた画像を破棄し、前記終了が指示されると前記読取処理により読み取られた画像を前記記憶部に保存することを特徴とする。
【００１６】
また、本発明は画像処理方法に関するものであり、本発明に係る画像処理方法は、制御部と出力部とを備えた画像処理装置の前記制御部で実行される、画像読取装置で読取処理された読取画像を表示する表示領域のうち、いずれかの方向に片寄った一部の領域に、読取処理により読み取られた画像を配置して前記出力部に出力する画像出力ステップを含むことを特徴とする。
【００１７】
また、本発明に係る画像処理方法は、制御部と出力部とを備えた画像処理装置の前記制御部で実行される、読取処理される原稿が、目印が付されたキャリアシートと共に画像読取装置で読み取られた場合には、前記原稿の画像中の前記目印に基づいて、前記原稿のどの部分を読み取ったかを判断する判断ステップ、または、読取処理される原稿が、識別マークと共に画像読取装置で読み取られた場合には、前記原稿の画像から前記識別マークを検出するマーク検出ステップと、前記マーク検出ステップで前記識別マークが検出できた場合には、前記原稿の前記画像から、前記原稿のどの部分を読み取ったかを判断する位置検出ステップとを含み、前記判断ステップ又は前記位置検出ステップに基づき、次に読み取られるべき読取位置を示唆する通知情報を、前記出力部に出力する通知出力ステップ
をさらに含むことを特徴とする。
【００１８】
また、本発明に係る画像処理方法は、制御部と出力部と、画像読取装置で読取処理により読み取られた画像を保存する記憶部とを備えた画像処理装置の前記制御部で実行される、前記読取処理の中止および／または終了を指示する読取制御ステップを含み、前記読取制御ステップは、前記画像読取装置が原稿の一部を順次読取る場合に、前記中止が指示されると前記読取処理により読み取られた画像を破棄し、前記終了が指示されると前記読取処理により読み取られた画像を前記記憶部に保存することを特徴とする。
【００１９】
また、本発明は画像処理プログラムに関するものであり、本発明に係る画像処理プログラムは、制御部と出力部とを備えた画像処理装置の前記制御部に実行させるための、画像読取装置で読取処理された読取画像を表示する表示領域のうち、いずれかの方向に片寄った一部の領域に、読取処理により読み取られた画像を配置して前記出力部に出力する画像出力ステップを含むことを特徴とする。
【００２０】
また、本発明に係る画像処理プログラムは、制御部と出力部とを備えた画像処理装置の前記制御部に実行させるための、読取処理される原稿が、目印が付されたキャリアシートと共に画像読取装置で読み取られた場合には、前記原稿の画像中の前記目印に基づいて、前記原稿のどの部分を読み取ったかを判断する判断ステップ、または、読取処理される原稿が、識別マークと共に画像読取装置で読み取られた場合には、前記原稿の画像から前記識別マークを検出するマーク検出ステップと、前記マーク検出ステップで前記識別マークが検出できた場合には、前記原稿の前記画像から、前記原稿のどの部分を読み取ったかを判断する位置検出ステップとを含み、前記判断ステップ又は前記位置検出ステップに基づき、次に読み取られるべき読取位置を示唆する通知情報を、前記出力部に出力する通知出力ステップをさらに含むことを特徴とする。
【００２１】
また、本発明に係る画像処理プログラムは、制御部と出力部と、画像読取装置で読取処理により読み取られた画像を保存する記憶部とを備えた画像処理装置の前記制御部に実行させるための、前記読取処理の中止および／または終了を指示する読取制御ステップを含み、前記読取制御ステップは、前記画像読取装置が原稿の一部を順次読取る場合に、前記中止が指示されると前記読取処理により読み取られた画像を破棄し、前記終了が指示されると前記読取処理により読み取られた画像を前記記憶部に保存することを特徴とする。
【００２２】
また、本発明は記録媒体に関するものであり、本発明に係るコンピュータ読み取り可能な記録媒体は、前記に記載の本発明に係る画像処理プログラムを記録したことを特徴とする。
【発明の効果】
【００２３】
本発明によれば、制御部は、画像読取装置で読取処理された読取画像を表示する表示領域のうち、いずれかの方向に片寄った一部の領域に、読取処理により読み取られた画像を配置して出力部に出力する。これにより、画像読取装置が原稿の一部を順次読取る場合に、ユーザにとって読取処理をより分かり易くすることができるという効果を奏する。具体的には、どの部分を読み取ったかを、画像表示領域に画像表示し、次に読み取るべき部分を空白画像表示によりユーザに示唆することができるという効果を奏する。
【００２４】
また、本発明によれば、制御部は、読取処理の次の読取処理によって読み取られた画像を、表示領域の残りの領域に配置して出力部に出力する。これにより、順次読み取られた原稿の画像を画像表示領域の適切な位置に自動で出力することができるという効果を奏する。
【００２５】
また、本発明によれば、制御部は、読取処理により読み取られた読取位置を示唆する通知情報、または、次に行うべき読取処理を示唆する通知情報を、出力部に出力する。これにより、次に読み取るべき部分をメッセージや点滅、アイコン等によりユーザに示唆することができるという効果を奏する。
【００２６】
また、本発明によれば、制御部は、読取処理を終了および／または中止する。これにより、順次読取る途中で、終了／中止を指示することができるという効果を奏する。
【００２７】
また、本発明によれば、読取処理される原稿が、目印が付されたキャリアシートと共に画像読取装置で読み取られると、制御部は、原稿の画像中の目印に基づいて、原稿の配置位置を判断し、判断した配置位置に読取処理により読み取られた画像を配置して出力部に出力する。これにより、原稿が挿み込まれたキャリアシートにより表示位置を自動判断して、原稿の画像を画像表示領域の適切な位置に自動で出力することができるという効果を奏する。
【００２８】
また、本発明によれば、制御部は、目印が検出できなかった場合には、表示領域全体に読取処理により読み取られた画像を配置して出力部に出力する。これにより、画像表示領域を分割することなく、原稿の画像を通常の読取モードで読み取った１つの独立したものとして当該画像表示領域に適切に出力することができるという効果を奏する。
【００２９】
また、本発明によれば、原稿が、識別マークと共に画像読取装置で読み取られると、制御部は、原稿の画像から識別マークを検出し、識別マークが検出できた場合には、原稿の画像から、当該画像における原稿の表示位置を検出し、判断した表示位置に読取処理により読み取られた画像を配置して出力部に出力する。これにより、原稿の間に挿まれた識別マークにより表示位置を自動判断して、原稿の画像を画像表示領域の適切な位置に自動で出力することができるという効果を奏する。
【００３０】
また、本発明によれば、制御部は、検出した表示位置に基づいて、原稿の画像に対しデスキュー（傾き補正、歪み補正）及び／又はクロッピング（切り出し）を実行し、デスキュー及び／又はクロッピングを実行した後の原稿の画像を合成する。ここで、大きな原稿を読み取りする場合には、キャリアシートを使用して合成する方法と設定を切り替えて合成する方法があった。しかし、前者の方法では、キャリアシートとして大きなものを使用する必要があるという問題や、それを紛失してしまうという問題、また、そのセットに手間取ってしまうという問題がある。また、後者の方法では、設定を切り替える必要があるという問題や、その切り替えを忘れてしまうという問題、また、読み取りの際に繋ぎ目をどちらにして読み取りすればよいか分からないという問題がある。ところが、本発明によれば、原稿の間に挿まれた識別マークを自動的に検出することで画像の合成を行うので、これら従来の問題を全て解決することができるという効果を奏する。
【００３１】
また、本発明によれば、制御部は、読取処理される原稿が、目印が付されたキャリアシートと共に画像読取装置で読み取られた場合には、原稿の画像中の目印に基づいて、原稿のどの部分を読み取ったかを判断し、当該判断に基づき、次に読み取られるべき読取位置を示唆する通知情報を、出力部に出力する。また、制御部は、読取処理される原稿が、識別マークと共に画像読取装置で読み取られた場合には、原稿の画像から識別マークを検出し、識別マークが検出できた場合には、原稿の画像から、原稿のどの部分を読み取ったかを判断し、当該判断に基づき、次に読み取られるべき読取位置を示唆する通知情報を、出力部に出力する。これにより、画像読取装置が原稿の一部を順次読取る場合に、ユーザにとって読取処理をより分かり易くすることができるという効果を奏する。具体的には、次に読み取るべき部分をメッセージや点滅、アイコン等によりユーザに示唆することができるという効果を奏する。
【００３２】
また、本発明によれば、制御部は、画像読取装置が原稿の一部を順次読取る場合に、読取処理の中止が指示されると読取処理により読み取られた画像を破棄し、読取処理の終了が指示されると読取処理により読み取られた画像を記憶部に保存する。これにより、画像読取装置が原稿の一部を順次読取る場合に、ユーザにとって読取処理をより分かり易くすることができるという効果を奏する。具体的には、順次読取る途中で、読取処理の終了／中止を指示することができるという効果を奏する。また、具体的には、ユーザからの読取処理の終了／中止の指示ごとに、既に得た原稿の画像を適切に処理することができるという効果を奏する。
【図面の簡単な説明】
【００３３】
【図１】図１は、画像処理装置１００の構成の一例を示すブロック図である。
【図２】図２は、通常のメイン処理の一例を示すフローチャートである。
【図３】図３は、部分画像を表示した原稿表示画面の一例を示す図である。
【図４】図４は、部分画像を表示した原稿表示画面の一例を示す図である。
【図５】図５は、部分画像を表示した原稿表示画面の一例を示す図である。
【図６】図６は、部分画像を表示した原稿表示画面の一例を示す図である。
【図７】図７は、キャリアシートを用いた場合のメイン処理の一例を示すフローチャートである。
【図８】図８は、キャリアシートの一例を示す図である。
【図９】図９は、部分画像を表示した原稿表示画面の一例を示す図である。
【図１０】図１０は、部分画像を表示した原稿表示画面の一例を示す図である。
【図１１】図１１は、識別マークの一例を示す図である。
【図１２】図１２は、合成処理の一例を示すフローチャートである。
【発明を実施するための形態】
【００３４】
以下に、本発明に係る画像処理装置、画像処理方法及び画像処理プログラムの実施形態を図面に基づいて詳細に説明する。なお、本実施形態では画像読取装置として片面読取可能なスキャナを一例として挙げて説明するが、本実施形態により本発明が限定されるものではない。特に、本実施形態は、片面読取可能なスキャナだけでなく、両面読取可能なスキャナでも同様に適用可能である。
【００３５】
［１．本実施形態の構成］
本実施形態に係る画像処理装置１００の構成について図１を参照して説明する。図１は画像処理装置１００の構成の一例を示すブロック図である。
【００３６】
画像処理装置１００は、片面読取可能なスキャナ２００と通信可能に接続されている情報処理装置（パーソナルコンピュータ）である。画像処理装置１００は、制御部１０２と通信インターフェース部１０４と記憶部１０６と入出力インターフェース部１０８とで構成されており、これら各部は任意の通信路を介して通信可能に接続されている。
【００３７】
通信インターフェース部１０４は、ルータ等の通信装置及び専用線等の有線又は無線の通信回線を介して、画像処理装置１００をスキャナ２００や他の端末に通信可能に接続する。通信インターフェース部１０４は、スキャナ２００や他の端末と通信回線を介してデータを通信する機能を有する。通信インターフェース部１０４は、画像処理装置１００とスキャナ２００や他の端末との間における通信を媒介する。
【００３８】
記憶部１０６は、各種のデータベースやテーブルやファイルなどを格納する。記憶部１０６は、ストレージ手段であり、例えばＲＡＭ・ＲＯＭ等のメモリ装置や、ハードディスクのような固定ディスク装置、フレキシブルディスク、光ディスク等を用いることができる。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与え各種処理を行うためのコンピュータプログラムが記録されている。記憶部１０６は、図示の如く、画像データファイル１０６ａを記憶する。画像データファイル１０６ａは、スキャナ２００で読み取った画像（具体的には、原稿の一部分である部分原稿の画像など）や後述する合成部１０２ｅで合成した合成画像などの画像データを格納する。
【００３９】
入出力インターフェース部１０８は、入力装置１１２や出力装置１１４を画像処理装置１００と接続する。ここで、出力装置１１４には、モニタ（家庭用テレビを含む）の他、スピーカやプリンタを用いることができる（なお、以下では、出力装置１１４をモニタ１１４として記載する場合がある。）。入力装置１１２には、キーボードやマウスやマイクの他、マウスと協働してポインティングデバイス機能を実現するモニタを用いることができる。
【００４０】
制御部１０２は、画像処理装置１００を統括的に制御するＣＰＵ等からなる。制御部１０２は、ＯＳ等の制御プログラムと各種の処理手順等を規定したプログラムと所要データとを格納するための内部メモリを有し、これらプログラムに基づいて種々の処理を実行するための情報処理を行う。制御部１０２は、図示の如く、大別して、読取制御部１０２ａと、通知出力部１０２ｂと、判断部１０２ｃと、画像出力部１０２ｄと、合成部１０２ｅと、マーク検出部１０２ｆと、位置検出部１０２ｇと、デスキュー・クロッピング実行部１０２ｈと、を備える。
【００４１】
読取制御部１０２ａは、スキャナ２００のシュータにセットされた原稿や当該原稿が挿まれているキャリアシートの読み取りをスキャナ２００に開始させ、読み取られた部分原稿の画像をスキャナ２００から取得する。なお、キャリアシートについては、下記の［２．本実施形態の処理］にて詳細に説明する。また、読取制御部１０２ａは、スキャナ２００での原稿の読取処理を中止および／または終了する。具体的には、読取制御部１０２ａは、スキャナ２００が原稿の一部を順次読み取る場合に、原稿表示画面に含まれている中止ボタンの押下を受けると取得済みの部分原稿の画像（読取処理により読み取られた画像）を破棄し、原稿表示画面に含まれている終了ボタンの押下を受けると取得済みの部分原稿の画像（読取処理により読み取られた画像）を画像データファイル１０６ａの所定の記憶領域に保存する。なお、原稿表示画面については、下記の［２．本実施形態の処理］にて詳細に説明する。
【００４２】
通知出力部１０２ｂは、原稿における部分原稿の配置位置を通知する通知情報を出力装置１１４に出力する。通知出力部１０２ｂは、読取処理により読み取られた読取位置を示唆する通知情報または次に行うべき読取処理を示唆する通知情報を、出力装置１１４に出力する。通知出力部１０２ｂは、後述する判断部１０２ｃまたは位置検出部１０２ｇに基づき、次に読み取られるべき読取位置を示唆する通知情報を、出力装置１１４に出力する。また、通知出力部１０２ｂは、通知情報を、予め設定した配置位置の通知順序に従って出力装置１１４に出力する。また、通知出力部１０２ｂは、通知情報を、原稿表示画面において認識可能な状態にして出力装置１１４に出力する。ここで、当該通知順序について説明する。例えば、大きなサイズの原稿が、縦横それぞれ１／２のサイズになるように２回折り畳まれた場合、当該原稿から４つの部分原稿が形成され、当該原稿における各部分原稿の配置位置をそれぞれ「左上」、「右上」、「左下」および「右下」と定めることができる。そこで、原稿をこのように折り畳んだ場合には、配置位置の通知順序を例えば「左上→右上→左下→右下」と予め設定しておくことで、通知出力部１０２ｂは、当該設定した通知順序に従って、配置位置を「左上」、「右上」、「左下」および「右下」の順に通知する。また、「認識可能な状態にして出力する」とは、例えば、配置位置を通知するメッセージ（文字）を原稿表示画面に表示することや、配置位置を通知するアイコン（図形）を原稿表示画面に表示すること、さらには原稿表示画面上の配置位置に相当する箇所を点滅させること、などである。
【００４３】
判断部１０２ｃは、読取制御部１０２ａで取得した部分原稿の画像に基づいて、キャリアシートが使われたか否かを判断する。判断部１０２ｃは、キャリアシートが使われたと判断した場合には、部分原稿の画像中の目印に基づいて、当該部分原稿の配置位置（原稿のどの部分を読み取ったか）を判断する。
【００４４】
画像出力部１０２ｄは、スキャナ２００で読取処理された読取画像を表示する表示領域のうち、いずれかの方向に片寄った一部の領域に、読取処理により読み取られた画像を配置して出力装置１１４に出力する。画像出力部１０２ｄは、読取処理の次の読取処理によって読み取られた画像を、表示領域の残りの領域に配置して出力装置１１４に出力する。また、画像出力部１０２ｄは、原稿表示画面上の適切な位置（通知出力部１０２ｂにて通知した配置位置、判断部１０２ｃで判断した配置位置、位置検出部１０２ｇで検出した表示位置）に、読取制御部１０２ａで取得した部分原稿の画像を配置して出力装置１１４に出力する。また、画像出力部１０２ｄは、原稿表示画面全体に、後述する合成部１０２ｅで合成した合成画像を配置して出力装置１１４に出力する。また、画像出力部１０２ｄは、判断部１０２ｃでキャリアシートの目印が検出できなかった場合には、表示領域全体に読取処理により読み取られた画像を配置して出力装置１１４に出力する。
【００４５】
合成部１０２ｅは、複数の部分原稿の画像を合成して、その合成画像を得る。合成部１０２ｅは、後述するデスキュー・クロッピング実行部１０２ｈでデスキュー及び／又はクロッピングが実行された後の複数の部分原稿の画像を合成する。
【００４６】
マーク検出部１０２ｆは、部分原稿の画像から識別マークを検出する。具体的には、マーク検出部１０２ｆは、原稿エッジ検出とカラー判定を実行することにより、部分原稿の画像の先頭に色が付いている部分があり、さらにその部分が原稿のエッジよりも上部にあるかを検出する。なお、識別マークについては、下記の［２．本実施形態の処理］にて詳細に説明する。位置検出部１０２ｇは、部分原稿の画像から、当該部分原稿の表示位置（領域）を検出する。位置検出部１０２ｇは、マーク検出部１０２ｆで識別マークが検出できた場合には、原稿の画像から、原稿のどの部分を読み取ったか（当該画像における原稿の表示位置）を検出する。デスキュー・クロッピング実行部１０２ｈは、位置検出部１０２ｇで検出した表示位置に基づいて当該部分原稿のエッジを捉えて、部分原稿の画像に対しデスキュー及び／又はクロッピング（識別マークの切り取りを含む）を実行する。
【００４７】
［２．本実施形態の処理］
上述した構成の画像処理装置１００で実行されるメイン処理等の一例について、図２や図７等を参照して説明する。
【００４８】
［２−１．メイン処理（通常）］
まず、通常のメイン処理の一例について図２等を参照して説明する。図２は、通常のメイン処理の一例を示すフローチャートである。なお、当該メイン処理の説明では、一例として、スキャナ２００で読取可能なサイズを超えるサイズの大きな原稿ＭＡが縦横それぞれ１／２のサイズになるように２回折り畳まれた場合を想定し、配置位置の通知順序として予め「左上→右上→左下→右下」が設定されているものとする。
【００４９】
まず、ユーザは、原稿ＭＡを中央で横方向に半分に折り曲げ、その折り曲げた状態のものをさらに中央で縦方向に半分に折り曲げることで、原稿ＭＡの縦横それぞれのサイズを１／２にする。これにより、原稿ＭＡから、４つの部分原稿、すなわち左上部分ＭＡＴＬ、右上部分ＭＡＴＲ、左下部分ＭＡＢＬおよび右下部分ＭＡＢＲが形成される。
【００５０】
そして、ユーザは、予め設定された通知順序で最初に通知された配置位置「左上」に従って、左上部分ＭＡＴＬが読取面となるように原稿ＭＡをスキャナ２００のシュータにセットし、入力装置１１２を操作してスキャナ２００に原稿の読取開始を指示する。
【００５１】
そして、読取制御部１０２ａは、当該読取開始の指示を受けると、スキャナ２００に原稿の読み取りを開始させ、読み取られた１つ目の部分原稿の画像（部分画像ＭＡＩ１）をスキャナ２００から取得する（ステップＳＡ１）。
【００５２】
つぎに、読取制御部１０２ａは、予め設定された通知順序に記述された配置位置の総数（本メイン処理では「４」）と取得済みの部分画像の総数（この段階では「１」）を比較して原稿ＭＡの全ての部分原稿を読み取ったかを確認し、その確認結果が「全て読み取った」というものでない場合（ステップＳＡ２：Ｎｏ）には、画像出力部１０２ｄは、予め設定した通知順序に従って、部分画像ＭＡＩ１が左上部分ＭＡＴＬを含むものと見做し、また原稿表示画面ＭＢの画像領域ＭＢ２を図３に示すように４つに分割し、４つに分割された画像領域ＭＢ２の左上側に部分画像ＭＡＩ１を寄せて配置してモニタ１１４に表示する（ステップＳＡ３）。
【００５３】
ここで、原稿表示画面ＭＢについて、図３を参照して説明する。原稿表示画面ＭＢは、読み取った部分原稿の配置位置および次に読み取る部分原稿の配置位置を通知するメッセージを表示するためのメッセージ領域ＭＢ１と、画像を表示するための画像領域ＭＢ２と、読取終了を選択させるための終了ボタンＭＢ３と、読取中止を選択させるための中止ボタンＭＢ４と、で構成されている。なお、本メイン処理では、予め設定された通知順序に記述された４つの配置位置が「左上」、「右上」、「左下」および「右下」であるので、領域ＭＢ２の大きさは、取得した部分画像を縦横それぞれに２つ並べることが可能な大きさである。
【００５４】
本メイン処理の説明に戻り、通知出力部１０２ｂは、図３に示すように、左上部分ＭＡＴＬを読み取った旨と次に読み取る部分原稿が右上部分ＭＡＴＲである旨とを通知するメッセージを、メッセージ領域ＭＢ１に配置してモニタ１１４に表示する（ステップＳＡ４）。
【００５５】
ここで、ユーザは、原稿ＭＡがスキャナ２００でどのように読み取りされたかを原稿表示画面ＭＢで確認する。また、ユーザは、本メイン処理を終了させたいときには入力装置１１２を操作して終了ボタンＭＢ３を押下し、また本メイン処理を中止させたいときには入力装置１１２を操作して中止ボタンＭＢ４を押下する。そして、ユーザは、本メイン処理を継続させたいときには、メッセージ領域ＭＢ１のメッセージに従って、次に読み取る部分（図３では右上部分ＭＡＴＲ）が読取面となるように原稿ＭＡをスキャナ２００のシュータにセットし直す。
【００５６】
そして、読取制御部１０２ａは、終了ボタンＭＢ３または中止ボタンＭＢ４の押下がない場合（ステップＳＡ５：押下なし）には、スキャナ２００に原稿の読み取りを開始させ、読み取られた２つ目の部分原稿の画像（部分画像ＭＡＩ２）をスキャナ２００から取得する（ステップＳＡ６）。なお、終了ボタンＭＢ３の押下があった場合（ステップＳＡ５：「終了」）には、読取制御部１０２ａは、取得済みの部分画像を画像データファイル１０６ａの所定の記憶領域に保存し（ステップＳＡ７）、また、中止ボタンＭＢ４の押下があった場合（ステップＳＡ５：「中止」）には、読取制御部１０２ａは、取得済みの部分画像を破棄する（ステップＳＡ８）。
【００５７】
そして、制御部１０２は、各処理部に、ステップＳＡ２以降の処理を繰り返し実行させる。具体的には、本メイン処理では上述した通り原稿ＭＡから４つの部分原稿が形成されるので、ステップＳＡ２は最大４回、ステップＳＡ３からステップＳＡ６は最大３回、繰り返される。
【００５８】
そのため、２回目のステップＳＡ２では、読取制御部１０２ａは、配置位置の総数「４」と取得済みの部分画像の総数（この段階では「２」）とを比較して、全ての部分原稿が読み取られていないことを確認する。そして、２回目のステップＳＡ３では、画像出力部１０２ｄは、１回目のステップＳＡ６で取得した部分画像ＭＡＩ２が右上部分ＭＡＴＲを含むものと見做して、図４に示すように画像領域ＭＢ２の右上側に部分画像ＭＡＩ２を寄せて配置してモニタ１１４に表示する。そして、２回目のステップＳＡ４では、通知出力部１０２ｂは、右上部分ＭＡＴＲを読み取った旨と次に読み取る部分原稿が左下部分ＭＡＢＬである旨とを通知するメッセージを、図４に示すようにメッセージ領域ＭＢ１に配置してモニタ１１４に表示する。そして、２回目のステップＳＡ６では、読取制御部１０２ａは、終了ボタンＭＢ３または中止ボタンＭＢ４の押下がない場合（ステップＳＡ５：押下なし）には、スキャナ２００に原稿の読み取りを開始させ、読み取られた３つ目の部分原稿の画像（部分画像ＭＡＩ３）をスキャナ２００から取得する。
【００５９】
さらに、３回目のステップＳＡ２では、読取制御部１０２ａは、配置位置の総数「４」と取得済みの部分画像の総数（この段階では「３」）とを比較して、全ての部分原稿が読み取られていないことを確認する。そして、３回目のステップＳＡ３では、画像出力部１０２ｄは、２回目のステップＳＡ６で取得した部分画像ＭＡＩ３が左下部分ＭＡＢＬを含むものと見做して、図５に示すように画像領域ＭＢ２の左下側に部分画像ＭＡＩ３を寄せて配置してモニタ１１４に表示する。そして、３回目のステップＳＡ４では、通知出力部１０２ｂは、左下部分ＭＡＢＬを読み取った旨と次に読み取る部分原稿が右下部分ＭＡＢＲである旨とを通知するメッセージを、図５に示すようにメッセージ領域ＭＢ１に配置してモニタ１１４に表示する。そして、３回目のステップＳＡ６では、読取制御部１０２ａは、終了ボタンＭＢ３または中止ボタンＭＢ４の押下がない場合（ステップＳＡ５：押下なし）には、スキャナ２００に原稿の読み取りを開始させ、読み取られた４つ目の部分原稿の画像（部分画像ＭＡＩ４）をスキャナ２００から取得する。
【００６０】
そして、４回目のステップＳＡ２では、読取制御部１０２ａは、配置位置の総数「４」と取得済みの部分画像の総数（この段階では「４」）とを比較して、全ての部分原稿が読み取られたことを確認する。
【００６１】
そして、最後に、画像出力部１０２ｄは、その確認結果が「全て読み取った」というものである場合（ステップＳＡ２：Ｙｅｓ）には、３回目のステップＳＡ６で取得した部分画像ＭＡＩ４が右下部分ＭＡＢＲを含むものと見做して、図６に示すように画像領域ＭＢ２の右下側に部分画像ＭＡＩ４を寄せて配置してモニタ１１４に表示する（ステップＳＡ９）。これによって、折り曲げられていない状態の原稿ＭＡ全体が表示された。ここで、ステップＳＡ９において、合成部１０２ｅは、部分画像ＭＡＩ１から部分画像ＭＡＩ４をそれぞれの配置位置に基づいて合成することで、折り曲げられていない状態の原稿ＭＡを含む合成画像ＭＡＩを生成し、画像出力部１０２ｄは、この合成画像ＭＡＩを画像領域ＭＢ２全体に表示してもよい。なお、部分画像の合成処理は、後述する図１２に示すフローチャートに従って行ってもよい。
【００６２】
これにて、図２に示す通常のメイン処理についての説明を終了する。なお、ここでは、大きな原稿ＭＡを２回折り畳んで４つの部分原稿を形成し、４つの部分原稿の画像をそれぞれ適切な位置に配置させる場合を一例として説明したが、原稿ＭＡの折り畳み回数や部分原稿の数は、これに限定されず任意でよい。また、後述するキャリアシートＭＣに原稿ＭＡを挿んで、当該原稿ＭＡを読み取ることで、判断部１０２ｃで、部分原稿の折り目（繋ぎ目）の位置を判断して、その配置位置を判断してもよい。また、後述する識別マークＭＤを原稿ＭＡの適切な位置（例えばエッジ側）に挿んで当該原稿ＭＡを読み取ることで、位置検出部１０２ｇで、部分画像中の識別マークから部分原稿の折り目（繋ぎ目）を判断して、その配置位置を判断してもよい。また、ここでは片面読取可能なスキャナの場合の一例を示したが、例えば、縦横１／２サイズの２回折りの原稿を両面読取可能なスキャナで読み取る場合には、最初の読取（ステップＳＡ１）で「左上」と「右上」の両方の画像を同時に取得し、ステップＳＡ３で両画像を適切な位置に配置して表示し（図４参照）、そして、最後の読取（ステップＳＡ６）で「左下」と「右下」の両方の画像を取得し、ステップＳＡ９で両画像を適切な位置に配置して表示する（図６参照）。
【００６３】
［２−２．メイン処理（Ａ３キャリアシートを用いた例）］
つぎに、Ａ３キャリアシートを用いた場合のメイン処理の一例について図７等を参照して説明する。図７は、Ａ３キャリアシートを用いた場合のメイン処理の一例を示すフローチャートである。
【００６４】
まず、ユーザは、Ａ３サイズの原稿ＭＡを中央で半分に折り曲げる。これにより、原稿ＭＡから、２つの部分原稿、すなわち左側部分ＭＡＬおよび右側部分ＭＡＲが形成される。そして、ユーザは、当該折り曲げた状態の原稿ＭＡを、図８に示すキャリアシートＭＣに挿む。ここで、キャリアシートＭＣの一例について図８を参照して説明する。キャリアシートＭＣは、折り目（繋ぎ目）の位置を判断するための目印ＭＣ１と、原稿ＭＡを挿むための無色透明な２枚重ねのシートＭＣ２とを含んで構成されている。ユーザは、図８に示すように、原稿ＭＡの上側エッジの折り目側が目印ＭＣ１に合うように、当該原稿ＭＡをシートＭＣ２の間に挿み込む。
【００６５】
そして、ユーザは、まず、左側部分ＭＡＬ（右側部分ＭＡＲでもよい。）が読取面となるようにキャリアシートＭＣをスキャナ２００のシュータにセットし、入力装置１１２を操作してスキャナ２００に原稿の読取開始を指示する。
【００６６】
そして、読取制御部１０２ａは、当該読取開始の指示を受けると、スキャナ２００に原稿の読み取りを開始させ、読み取られたキャリアシートＭＣのシート画像ＭＣＩ１をスキャナ２００から取得する（ステップＳＢ１）。
【００６７】
つぎに、判断部１０２ｃは、ステップＳＢ１で取得したシート画像ＭＣＩ１から目印ＭＣ１を検出し、当該目印ＭＣ１が検出された場合にはキャリアシートＭＣが使われていると判断し、そうでない場合にはキャリアシートＭＣが使われていないと判断する（ステップＳＢ２）。
【００６８】
つぎに、判断部１０２ｃは、ステップＳＢ２でキャリアシートＭＣが使われていると判断した場合（ステップＳＢ３：Ｙｅｓ）には、シート画像ＭＣＩ１において目印ＭＣ１の表示位置が右側にあればシート画像ＭＣＩ１は左側部分ＭＡＬを含むものと判断し、目印ＭＣ１の表示位置が左側にあればシート画像ＭＣＩ１は右側部分ＭＡＲを含むものと判断する（ステップＳＢ４）。
【００６９】
つぎに、画像出力部１０２ｄは、ステップＳＢ４で左側部分ＭＡＬを含むものと判断し場合（ステップＳＢ５：Ｙｅｓ）には、画像領域ＭＢ２を２つに分割し、図９に示すように画像領域ＭＢ２の左側半分にシート画像ＭＣＩ１を寄せて配置してモニタ１１４に表示し（ステップＳＢ６）、ステップＳＢ４で左側部分ＭＡＬを含むものと判断しなかった場合（ステップＳＢ５：Ｎｏ）には、画像領域ＭＢ２の右側半分にシート画像ＭＣＩ１を寄せて配置してモニタ１１４に表示する（ステップＳＢ７）。
【００７０】
つぎに、通知出力部１０２ｂは、（１）ステップＳＢ４で左部分ＭＡＬを含むものと判断した場合には、左側部分ＭＡＬを読み取った旨と次に読み取る部分原稿が右側部分ＭＡＲである旨とを通知するメッセージを、図９に示すようにメッセージ領域ＭＢ１に表示し、（２）ステップＳＢ４で左部分ＭＡＬを含むものと判断しなかった場合には、右側半分ＭＡＲを読み取った旨と次に読み取る部分原稿が左側部分ＭＡＬである旨とを通知するメッセージを、メッセージ領域ＭＢ１に表示する（ステップＳＢ８）。
【００７１】
ここで、ユーザは、原稿ＭＡがスキャナ２００でどのように読み取りされたかを原稿表示画面ＭＢで確認する。また、ユーザは、本メイン処理を終了させたいときには入力装置１１２を操作して終了ボタンＭＢ３を押下し、また本メイン処理を中止させたいときには入力装置１１２を操作して中止ボタンＭＢ４を押下する。そして、ユーザは、本メイン処理を継続させたいときには、メッセージ領域ＭＢ１のメッセージに従って、次に読み取る部分（図９では右側部分ＭＡＲ）が読取面となるようにキャリアシートＭＣを裏返してスキャナ２００のシュータにセットし直す。
【００７２】
そして、読取制御部１０２ａは、終了ボタンＭＢ３または中止ボタンＭＢ４の押下がない場合（ステップＳＢ９：押下なし）には、スキャナ２００に原稿の読み取りを開始させ、読み取られたキャリアシートＭＣのシート画像ＭＣＩ２をスキャナ２００から取得する（ステップＳＢ１０）。
【００７３】
つぎに、画像出力部１０２ｄは、図１０に示すように、ステップＳＢ１０で取得したシート画像ＭＣＩ２を、メッセージ領域ＭＢ１に通知した次に読み取る部分に対応する配置位置（ここでは右側半分）に寄せて配置してモニタ１１４に表示する（ステップＳＢ１１）。これにより、折り曲げられていない状態の原稿ＭＡ全体が表示された。ここで、ステップＳＢ１１において、合成部１０２ｅは、シート画像ＭＣＩ１とシート画像ＭＣＩ２とを目印ＭＣ１がある側のエッジを繋ぎ目として合成することで、折り曲げられていない状態の原稿ＭＡを含む合成画像ＭＣＩを生成し、画像出力部１０２ｄは、この合成画像ＭＣＩを画像領域ＭＢ２全体に表示してもよい。
【００７４】
なお、読取制御部１０２ａは、終了ボタンＭＢ３の押下があった場合（ステップＳＢ９：「終了」）には、ステップＳＢ１で取得したシート画像ＭＣＩ１を画像データファイル１０６ａの所定の記憶領域に保存し（ステップＳＢ１２）、また、中止ボタンＭＢ４の押下があった場合（ステップＳＢ９：「中止」）には、ステップＳＢ１で取得したシート画像ＭＣＩ１を破棄する（ステップＳＢ１３）。
【００７５】
また、画像出力部１０２ｄは、ステップＳＢ２でキャリアシートＭＣが使われていないと判断された場合（ステップＳＢ３：Ｎｏ）には、画像領域ＭＢ２を分割せず、画像領域ＭＢ２全体にシート画像ＭＣＩ１を配置してモニタ１１４に表示する（ステップＳＢ１４）。
【００７６】
これにて、Ａ３キャリアシートを用いた場合のメイン処理についての説明を終了する。なお、Ａ３キャリアシートを用いた場合のメイン処理は、図８に示すキャリアシートＭＣを使用した場合の一例であったが、キャリアシートＭＣの代わりに、例えば図１１に示すような色彩や模様が付された短冊状の識別マークＭＤ（例えば、ポスト・イット（登録商標）のような付箋紙や、栞、タグラベルなど）を使用してもよい。ここで、当該識別マークＭＤを使用する場合、ユーザは、図１１に示すように、折り曲げられた状態の原稿ＭＡの上側エッジの折り目側に識別マークＭＤを挿み、当該挿んだ状態の原稿ＭＡをスキャナ２００のシュータにセットすればよい。なお、識別マークＭＤを、図１１に示すように原稿ＭＡの上側エッジの折り目側に挿めば、位置検出部１０２ｇにより、当該識別マークＭＤで自動的に原稿の折り目方向、つまり原稿の配置位置も検出することができる。
【００７７】
また、光学文字認識（ＯＣＲ）により、部分画像に含まれている原稿の向きを例えば上下入れ替える等してもよい。
【００７８】
また、部分画像の合成処理は、図１２に示すフローチャートに従って行ってもよい。図１２は、合成処理の一例を示すフローチャートである。なお、ここでは、識別マークＭＤを、図１１に示すように原稿ＭＡの間に挿んで使用した場合の合成処理の一例を説明する。
【００７９】
まず、マーク検出部１０２ｆは、左側部分ＭＡＬを含む部分画像ＭＡＩＬまたは右側部分ＭＡＲを含む部分画像ＭＡＩＲから、識別マークＭＤを検出する（ステップＳＣ１）。具体的には、マーク検出部１０２ｆは、原稿エッジ検出とカラー判定を実行することにより、部分画像ＭＡＩＬまたは部分画像ＭＡＩＲの先頭に色が付いている部分があり、さらにその部分が原稿ＭＡのエッジよりも上部にあるかを検出する。
【００８０】
つぎに、位置検出部１０２ｇは、ステップＳＣ１で識別マークＭＤが検出できた場合（ステップＳＣ２：Ｙｅｓ）には、部分画像ＭＡＩＬおよび部分画像ＭＡＩＲから、原稿ＭＡの表示位置（領域）を検出する（ステップＳＣ３）。なお、ステップＳＣ１で識別マークＭＤが検出できなかった場合（ステップＳＢ２：Ｎｏ）には、本合成処理を終了して所定の通常処理に移る。
【００８１】
つぎに、デスキュー・クロッピング実行部１０２ｈは、ステップＳＣ３で検出した表示位置（領域）に基づいて、部分画像ＭＡＩＬおよび部分画像ＭＡＩＲから原稿ＭＡのエッジを捉えて、部分画像ＭＡＩＬおよび部分画像ＭＡＩＲに対してデスキュー（傾き補正、歪み補正）及び／又はクロッピング（切り出し）を実行する（ステップＳＣ４）。なお、クロッピングの際、部分画像ＭＡＩＬおよび部分画像ＭＡＩＲから識別マークＭＤに対応する部分を切り取る。
【００８２】
そして、合成部１０２ｅは、ステップＳＣ４でデスキュー及び／又はクロッピングが実行された後の部分画像ＭＡＩＬおよび部分画像ＭＡＩＲを、識別マークＭＤがあった側のエッジを繋ぎ目として合成して、その合成画像ＭＡＩを生成する（ステップＳＣ５）。
【００８３】
［３．本実施形態のまとめ、及び他の実施形態］
以上、本実施形態によれば、読み取った部分原稿の配置位置と次に読み取るべき部分原稿の配置位置を通知するメッセージを、予め設定した配置位置の通知順序に従ってモニタ１１４に出力し、原稿表示画面ＭＢの画像領域ＭＢ２を分割し、スキャナ２００で読み取られた部分原稿の画像を当該画像領域ＭＢ２の、メッセージで通知した配置位置に配置してモニタ１１４に出力する。これにより、スキャナ２００が原稿をどのように読み取りしたかをユーザにとってより分かり易くすることができる。また、次に読み取る部分原稿を誤り無くユーザに読み取らせることができる。また、次に読み取る部分原稿をユーザに容易に認識させることができる。また、スキャナ２００が原稿の一部を順次読み取る場合に、ユーザにとって読取処理をより分かり易くすることができる。具体的には、どの部分を読み取ったかを画像領域に画像表示し、次に読み取るべき部分を空白画像表示によりユーザに示唆することができる。また、次に読み取る部分をメッセージ（他には点滅やアイコン等）によりユーザに示唆することができる。また、順次読み取られた原稿の画像を画像領域の適切な位置に自動で出力することができる。
【００８４】
また、本実施形態によれば、原稿表示画面ＭＢの中止ボタンＭＢ４の押下を受けると部分原稿の画像を破棄し、終了ボタンＭＢ３の押下を受けると部分原稿の画像を画像データファイル１０６ａに保存する。これにより、全ての部分原稿の読み取りが完了していなくても途中で原稿の読み取りを中止および／または終了することができる。また、ユーザに任意のタイミングで原稿の読み取りを中止および／または終了させることができると共に、その時までに得た部分原稿の画像をユーザの意向を反映した形で適切に処理することができる。また、順次読み取る途中で、読取処理の終了／中止を指示することができる。具体的には、ユーザからの読取処理の終了／中止の指示ごとに、既に得た原稿の画像を適切に処理することができる。
【００８５】
また、本実施形態によれば、スキャナ２００においてＡ３合成する場合に、原稿表示画面ＭＢの画像領域ＭＢ２を分割し、読み取りした部分原稿の画像を適切な位置に寄せて表示する。つまり、本実施形態によれば、スキャナ２００においてＡ３合成する場合に、スキャナ２００が原稿をどのように読み取りしたか（具体的には原稿の表面か裏面か）をユーザインターフェースにより通知する。これにより、ユーザは、折り曲げられた原稿がスキャナでどのように読み取られたかを簡単に確認することができる。つまり、ユーザにとってより分かり易い画像処理装置を提供することができる。
【００８６】
また、本実施形態によれば、原稿を、折り目が判るように作られたキャリアシートＭＣに挿んだ状態でスキャナ２００に読み取らせた場合には、（１）キャリアシートＭＣのシート画像から折り目を判断することで、シート画像が原稿の右側部分を含むものか左側部分を含むものかを判断し、（２）左側部分であれば、そのシート画像を原稿表示画面ＭＢの画像領域ＭＢ２の左側半分に表示し、右側部分であれば、そのシート画像を画像領域ＭＢ２の右側半分に表示する。これにより、読み取りした画像の実際の原稿における位置（左側か右側か）を反映して適切に表示することができる。また、原稿が挿み込まれたキャリアシートにより表示位置を自動判断して、原稿の画像を画像表示領域の適切な位置に自動で出力することができる。また、本実施形態によれば、キャリアシートを使用していないと判断した場合には、原稿表示画面の画像領域を自動的に複数に分割することなく、部分画像を表示範囲に適切に表示することができる。これにより、画像領域を分割することなく、原稿の画像を通常の読取モードで読み取った１つの独立したものとして当該画像領域に適切に出力することができる。
【００８７】
そして、本実施形態によれば、特徴のある識別マーク（例えば、ポスト・イット（登録商標）のような付箋紙や、栞、タグラベルなど）を折り曲げた原稿の間に挿み、部分画像からその識別マークを自動的に検出することで部分画像の合成を行う。具体的には、（１）部分画像の先頭に色が付いている部分があり、さらにその部分が原稿のエッジよりも上部にあるかを、用紙エッジ検出とカラー判定により検出し、（２）原稿エッジを捉えて部分画像のデスキュー／クロッピング処理を実行し（上端の先頭マークは切り取る）、（３）当該実行後の部分画像に対し合成処理を実行する。これにより、Ａ３のような大きな原稿の合成処理をキャリアシートを使用して実行するという従来方法における、当該キャリアシートとして大きいものを使用する必要があるという問題や、当該キャリアシートのセットに手間取ってしまうという問題を解決することができる。また、Ａ３のような大きな原稿の合成処理を設定を切り替えて実行するという従来方法における、当該設定を切り替える必要があるという問題や、当該設定を切り替え忘れてしまうという問題、読み取りの際に原稿の繋ぎ目をどちらにして読み取りすれば良いかが分からないという問題を解決することができる。なお、識別マークを使用する場合、スキャナは、折り畳み原稿を読み取りでき（分離機構がなく）、幅の狭い識別マークを読み取りできるように読取センサが当該識別マークの幅より狭く配置されている、というハードウェアの特徴を有していることが望ましい。
【００８８】
また、識別マークを原稿の折り目側にセットする（挿む）ことで、部分画像から原稿の折り目方向を自動判断することができる。換言すると、識別マークのセットのみで、部分画像から原稿の折り目方向を自動的に検出することができる。具体的には、原稿の間に挿まれた識別マークにより表示位置を自動判断して、原稿の画像を画像領域の適切な位置に自動で出力することができる。
【００８９】
また、ポスト・イット（登録商標）のような粘着力のある色の付いた紙媒体を識別マークとして使えば、紛失しても代替品が存在するので、Ａ３のような大きな原稿の合成処理をキャリアシートを使用して実行するという従来方法における、当該キャリアシートを紛失してしまうという問題を解決することができる。
【００９０】
また、識別マーク自体が小さいキャリアシートを使用することで、キャリアシート自体も小型化可能である。そのため、ダメージを与えたくない原稿（例えば写真など）があっても、当該キャリアシートに挿むことで読み取りができる。また、キャリアシート自体が小型化できることで、モバイルなどの用途では持ち運びに便利である。また、紛失した際にも、同じ識別マークを印刷し、それを原稿に挿み込むことで、合成が可能である。
【００９１】
さらに、本発明は、上述した実施形態以外にも、特許請求の範囲に記載した技術的思想の範囲内において種々の異なる実施の形態にて実施されてよいものである。例えば、本実施形態では画像処理装置１００がスタンドアローンの形態で処理を行う場合を一例に説明したが、画像処理装置１００とは別筐体で構成されるクライアント端末からの要求に応じて処理を行い、その処理結果を当該クライアント端末に返却するように構成してもよい。また、本実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。また、装置の分散・統合の具体的形態は図示するものに限られず、その全部または一部を、各種の付加等に応じて又は機能負荷に応じて任意の単位で機能的又は物理的に分散・統合して、構成することができる。また、本明細書や図面中で示した処理手順、制御手順、具体的名称、画面例などについては、特記する場合を除いて任意に変更することができる。
【００９２】
また、画像処理装置１００に関して、図示の各構成要素は機能概念的なものであり、必ずしも物理的に図示の如く構成されていることを要しない。例えば、画像処理装置１００の各装置が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、後述する記録媒体に記録されており、必要に応じて画像処理装置１００に機械的に読み取られる。すなわち、ＲＯＭまたはＨＤなどの記憶部１０６には、ＯＳとして協働してＣＰＵに命令を与え、各種処理を行うためのコンピュータプログラムが記録されている。このコンピュータプログラムは、ＲＡＭにロードされることによって実行され、ＣＰＵと協働して制御部を構成する。また、このコンピュータプログラムは、画像処理装置１００に対して任意のネットワークを介して接続されたアプリケーションプログラムサーバに記憶されていてもよく、必要に応じてその全部または一部をダウンロードすることも可能である。また、記憶部１０６に格納される各種のデータベース等（画像データファイル１０６ａ）は、ＲＡＭ・ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【００９３】
また、画像処理装置１００は、既知のパーソナルコンピュータ、ワークステーション等の情報処理装置（任意の周辺装置が接続されている情報処理装置を含む。）として構成してもよい。また、画像処理装置１００は、当該情報処理装置に本発明に係る画像処理方法を実現させるソフトウェア（プログラム、データ等を含む）を実装することにより実現してもよい。また、本発明に係る画像処理プログラムは、コンピュータ読み取り可能な記録媒体に格納してもよく、また、プログラム製品として構成することができる。ここで、「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【産業上の利用可能性】
【００９４】
以上のように、本発明に係る画像処理装置、画像処理方法及び画像処理プログラムは、産業上の多くの分野、特にスキャナで読み取った画像を扱う画像処理分野で実施することができ、極めて有用である。
【符号の説明】
【００９５】
１００  画像処理装置
１０２  制御部
１０２ａ  読取制御部
１０２ｂ  通知出力部
１０２ｃ  判断部
１０２ｄ  画像出力部
１０２ｅ  合成部
１０２ｆ  マーク検出部
１０２ｇ  位置検出部
１０２ｈ  デスキュー・クロッピング実行部
１０４  通信インターフェース部
１０６  記憶部
１０６ａ  画像データファイル
１０８  入出力インターフェース部
１１２  入力装置
１１４  出力装置
２００  スキャナ
【図１】
0005426422.tif 000002
【図２】
0005426422.tif 000003
【図３】
0005426422.tif 000004
【図４】
0005426422.tif 000005
【図５】
0005426422.tif 000006
【図６】
0005426422.tif 000007
【図７】
0005426422.tif 000008
【図８】
0005426422.tif 000009
【図９】
0005426422.tif 000010
【図１０】
0005426422.tif 000011
【図１１】
0005426422.tif 000012
【図１２】
0005426422.tif 000013